(57)【特許請求の範囲】
【請求項１】
電力管理地域において、電気設備の１つとして蓄電池及び発電装置を備える第１需要家施設を含む複数の需要家施設を共通の電源に接続し、余剰電力を前記需要家施設間において融通し合う電力管理システムであり、
前記第１需要家施設における対象処理日における単位時間毎の需要電力を予測し、他の需要家施設に対して対象処理日における単位時間毎に供給する電力である供給デマンド電力を加算して予測需要電力として出力する消費電力推定部と、
前記第１需要家施設における前記対象処理日における前記単位時間毎の発電電力を予測して予測発電電力として出力する発電電力推定部と、
前記予測発電電力及び前記予測需要電力の各々の前記単位時間毎の差分を求め、この差分を予測余剰電力とし、予測余剰電力を積算した予測積算余剰電力を計算し、電力管理計画を生成する電力管理計画作成部と、
前記予測積算余剰電力が最低値を示す前記単位時間を求め、前記最低値が放電終止蓄電池容量となるように系統電源からの蓄電池に対する蓄電電力量を求め、前記予測余剰電力を変更する電力管理計画補正部と、
を備えることを特徴とする電力管理システム。
【請求項２】
電力管理計画補正部が、
前記蓄電電力量を所定時間内の単位時間毎に充電する需要デマンド電力量を求め、当該需要デマンド電力量により前記予測積算余剰電力を補正する
ことを特徴とする
請求項１に記載の電力管理システム。
【請求項３】
前記電力管理計画補正部が、
前記蓄電電力量を前記系統電源から前記蓄電池に充電するために必要な蓄電時間を算出し、充電を開始する時刻に対して、この蓄電時間を加算して充電完了時刻を算出する
ことを特徴とする請求項１または請求項２に記載の電力管理システム。
【請求項４】
前記電力管理計画補正部が、
前記他の需要家施設に対してデマンド供給を行う時間までに、前記蓄電池に蓄電される前記蓄電電力量を算出し、当該蓄電電力量が前記供給デマンド電力を満足するか否かの判定を行う
ことを特徴とする請求項１または請求項２に記載の電力管理システム。
【請求項５】
前記他の需要家施設が前記電力管理地域内の需要家施設と、前記電力管理地域外の需要家施設とを含む
ことを特徴とする請求項１から請求項４のいずれか一項に記載の電力管理システム。
【請求項６】
前記電力管理計画補正部が、
前記電力管理地域外の需要家施設からの前記供給デマンド電力の供給依頼に対し、供給可能な供給電力量を求めて出力する
ことを特徴とする請求項１から請求項４のいずれか一項に記載の電力管理システム。
【請求項７】
電力管理地域において、系統電源に接続され、電気設備の１つとして蓄電池及び発電装置を備える第１需要家施設を含む複数の需要家施設を共通の電源に接続し、余剰電力を前記需要家施設間において融通し合う電力管理方法であり、
消費電力推定部が、前記第１需要家施設における対象処理日における単位時間毎の需要電力を予測し、他の需要家施設に対して対象処理日における単位時間毎に供給する電力である供給デマンド電力を加算して予測需要電力として出力する需要電力推定過程と、  発電電力推定部が、前記第１需要家施設における前記対象処理日における前記単位時間毎の発電電力を予測して予測発電電力として出力する発電電力推定過程と、
電力管理計画作成部が、前記予測発電電力及び前記予測需要電力の各々の前記単位時間毎の差分を求め、この差分を予測余剰電力とし、予測余剰電力を積算した予測積算余剰電力を計算し、電力管理計画を生成する電力管理計画生成過程と、
電力管理計画補正部が、前記予測積算余剰電力が最低値を示す前記単位時間を求め、前記最低値が放電終止蓄電池容量となるように系統電源からの蓄電池に対する蓄電電力量を求め、前記予測余剰電力を変更する電力管理計画補正過程と、
を備えることを特徴とする電力管理方法。
【請求項８】
電力管理地域において、系統電源に接続され、電気設備の１つとして蓄電池及び発電装置を備える第１需要家施設を含む複数の需要家施設を共通の電源に接続し、余剰電力を前記需要家施設間において融通し合う電力管理システムの動作をコンピュータに実行させるプログラムであり、
コンピュータを、
前記第１需要家施設における対象処理日における単位時間毎の需要電力を予測し、他の需要家施設に対して対象処理日における単位時間毎に供給する電力である供給デマンド電力を加算して予測需要電力として出力する需要電力推定手段、
前記第１需要家施設における前記対象処理日における前記単位時間毎の発電電力を予測して予測発電電力として出力する発電電力推定手段、
前記予測発電電力及び前記予測需要電力の各々の前記単位時間毎の差分を求め、この差分を予測余剰電力とし、予測余剰電力を積算した予測積算余剰電力を計算し、電力管理計画を生成する電力管理計画生成手段、
前記予測積算余剰電力が最低値を示す前記単位時間を求め、前記最低値が放電終止蓄電池容量となるように系統電源からの蓄電池に対する蓄電電力量を求め、前記予測余剰電力を変更する電力管理計画補正手段、
として機能させるためのプログラム。
【発明の詳細な説明】
【技術分野】
【０００１】
本発明は、電力管理システム、電力管理方法及びプログラムに関する。
【背景技術】
【０００２】
近年、電力小売市場の自由化が進められており、電力消費者が電力の購入先としての選択肢が増加し、より安い電力の購入が可能となっている。
【０００３】
需要家においては、消費電力の抑制制御として家電品の稼働を制御して電力を削減したり、電力消費の大きい時間帯から少ない時間帯に稼働時間をシフトさせるなどの方策がとられている（例えば、特許文献１及び特許文献２参照）。
【０００４】
一方、需要家施設の各々の個別の環境に依存する対策が多く、蓄電池の充放電による電力制御、燃料電池による発電、電力を熱に変換して蓄熱する温水器などの方法による制御が、上述した他の例に比較して量的にもあるいは確実性でも勝っている。これらの蓄熱及び蓄電の効果は大きく、分散した機器の制御を行うための計画の作成、制御を実行する仕組みが提供されている（例えば、特許文献３参照）。
【先行技術文献】
【特許文献】
【０００５】
【特許文献１】特開２００６−７４９５２号公報
【特許文献２】特開平１１−３４６４３７号公報
【特許文献３】特開２０１４−１６８３１５号公報
【発明の概要】
【発明が解決しようとする課題】
【０００６】
太陽電池には発電電力を他の需要家施設に対して供給できない時間帯、すなわち日照がなく発電電力を得られない時間帯が存在する。このため、深夜から太陽が昇る前の時間帯と、太陽が昇りはじめの発電電力が微少な早朝の時間帯とにおいて、太陽電池は発電電力を他の需要家施設に対して供給できない場合がある。早朝を過ぎた時間帯は、需要家施設の各々において、次の日の自身の需要に電力に合わせて夜間充電を行っている。ここで、蓄電池には、需要家施設で次の日の夜間までに使い切るための電力量が推定され、この推定された需要電力に対応した電力量が蓄電されている。このため、太陽電池が発電できない時間帯においては、他の需要家に対して余剰電力を供給することはできない。
【０００７】
本発明は、このような事情に鑑みてなされたもので、太陽電池が発電することができない時間帯においても、他の需要家施設に対して余剰電力を供給することが可能な電力管理システム、電力管理方法及びプログラムを提供することを目的とする。
【課題を解決するための手段】
【０００８】
本発明の電力管理システムの一態様は、電力管理地域において、電気設備の１つとして蓄電池及び発電装置を備える第１需要家施設を含む複数の需要家施設を共通の電源に接続し、余剰電力を前記需要家施設間において融通し合う電力管理システムであり、前記第１需要家施設における対象処理日における単位時間毎の需要電力を予測し、他の需要家施設に対して対象処理日における単位時間毎に供給する電力である供給デマンド電力を加算して予測需要電力として出力する消費電力推定部と、前記第１需要家施設における前記対象処理日における前記単位時間毎の発電電力を予測して予測発電電力として出力する発電電力推定部と、前記予測発電電力及び前記予測需要電力の各々の前記単位時間毎の差分を求め、この差分を予測余剰電力とし、予測余剰電力を積算した予測積算余剰電力を計算し、電力管理計画を生成する電力管理計画作成部と、前記予測積算余剰電力が最低値を示す前記単位時間を求め、前記最低値が放電終止蓄電池容量となるように系統電源からの蓄電池に対する蓄電電力量を求め、前記予測余剰電力を変更する電力管理計画補正部と、を備えることを特徴とする。
【０００９】
本発明の電力管理システムの一態様は、電力管理計画補正部が、前記蓄電電力量を所定時間内の単位時間毎に充電する需要デマンド電力量を求め、当該需要デマンド電力量により前記予測積算余剰電力を補正することを特徴とする。
【００１０】
本発明の電力管理システムの一態様は、前記電力管理計画補正部が、前記蓄電電力量を前記系統電源から前記蓄電池に充電するために必要な蓄電時間を算出し、充電を開始する時刻に対して、この蓄電時間を加算して充電完了時刻を算出することを特徴とする。
【００１１】
本発明の電力管理システムの一態様は、前記電力管理計画補正部が、前記他の需要家施設に対してデマンド供給を行う時間までに、前記蓄電池に蓄電される前記蓄電電力量を算出し、当該蓄電電力量が前記供給デマンド電力を満足するか否かの判定を行うことを特徴とする。
【００１２】
本発明の電力管理システムの一態様は、前記他の需要家施設が前記電力管理地域内の需要家施設と、前記電力管理地域外の需要家施設とを含むことを特徴とする。
【００１３】
本発明の電力管理システムの一態様は、前記電力管理計画補正部が、前記電力管理地域外の需要家施設からの前記供給デマンド電力の供給依頼に対し、供給可能な供給電力量を求めて出力することを特徴とする。
【００１４】
本発明の電力管理方法の一態様は、電力管理地域において、系統電源に接続され、電気設備の１つとして蓄電池及び発電装置を備える第１需要家施設を含む複数の需要家施設を共通の電源に接続し、余剰電力を前記需要家施設間において融通し合う電力管理方法であり、消費電力推定部が、前記第１需要家施設における対象処理日における単位時間毎の需要電力を予測し、他の需要家施設に対して対象処理日における単位時間毎に供給する電力である供給デマンド電力を加算して予測需要電力として出力する需要電力推定過程と、発電電力推定部が、前記第１需要家施設における前記対象処理日における前記単位時間毎の発電電力を予測して予測発電電力として出力する発電電力推定過程と、電力管理計画作成部が、前記予測発電電力及び前記予測需要電力の各々の前記単位時間毎の差分を求め、この差分を予測余剰電力とし、予測余剰電力を積算した予測積算余剰電力を計算し、電力管理計画を生成する電力管理計画生成過程と、電力管理計画補正部が、前記予測積算余剰電力が最低値を示す前記単位時間を求め、前記最低値が放電終止蓄電池容量となるように系統電源からの蓄電池に対する蓄電電力量を求め、前記予測余剰電力を変更する電力管理計画補正過程と、を備えることを特徴とする。
【００１５】
本発明のプログラムの一態様は、電力管理地域において、系統電源に接続され、電気設備の１つとして蓄電池及び発電装置を備える第１需要家施設を含む複数の需要家施設を共通の電源に接続し、余剰電力を前記需要家施設間において融通し合う電力管理システムの動作をコンピュータに実行させるプログラムであり、コンピュータを、前記第１需要家施設における対象処理日における単位時間毎の需要電力を予測し、他の需要家施設に対して対象処理日における単位時間毎に供給する電力である供給デマンド電力を加算して予測需要電力として出力する需要電力推定手段、前記第１需要家施設における前記対象処理日における前記単位時間毎の発電電力を予測して予測発電電力として出力する発電電力推定手段、前記予測発電電力及び前記予測需要電力の各々の前記単位時間毎の差分を求め、この差分を予測余剰電力とし、予測余剰電力を積算した予測積算余剰電力を計算し、電力管理計画を生成する電力管理計画生成手段、前記予測積算余剰電力が最低値を示す前記単位時間を求め、前記最低値が放電終止蓄電池容量となるように系統電源からの蓄電池に対する蓄電電力量を求め、前記予測余剰電力を変更する電力管理計画補正手段、として機能させるためのプログラムである。
【発明の効果】
【００１６】
本発明によれば、太陽電池が発電することができない時間帯においても、他の需要家施設に対して余剰電力を供給することが可能な電力管理システム、電力管理方法及びプログラムを提供することができる。
【図面の簡単な説明】
【００１７】
【図１】本発明の第１の実施形態による電力管理システムの構成例を示す図である。
【図２】１つの需要家施設１０が備える電気設備の構成例を示す図である。
【図３】第１の実施形態における電力管理装置２００の構成例を示す図である。
【図４】記憶部２３６に記憶されている電力管理計画テーブルの構成例を示す図である。
【図５】電力管理計画作成部２３３により作成される電力管理計画のパターン図の一例を示す図である。
【図６】電力管理計画補正部２３５が需要家施設自身の需要予測に対応した補正処理を行った電力管理計画のパターン図の一例を示す図である。
【図７】電力管理計画作成部２３３により作成される電力管理計画のパターン図の一例を示す図である。
【図８】電力管理計画補正部２３５が需要家施設に対する供給デマンド電力量に対応した補正処理を行った電力管理計画のパターン図の一例を示す図である。
【図９】電力管理計画補正部２３５が需要家施設に対する供給デマンド電力量に対応した補正処理を行った電力管理計画のパターン図の他の一例を示す図である。
【図１０】本実施形態の電力管理システムによる電力管理計画を生成する処理の動作例を示すフローチャートである。
【図１１】本実施形態の電力管理システムによる電力管理計画を補正する処理の動作例を示すフローチャートである。
【図１２】本実施形態の電力管理システムによる電力管理計画を補正する処理の動作例を示すフローチャートである。
【発明を実施するための形態】
【００１８】
＜第１の実施形態＞
以下、図面を参照して、本発明の第１の実施形態について説明する。図１は、本発明の第１の実施形態による電力管理システムの構成例を示す図である。本実施形態における電力管理システムは、例えば、所定の地域範囲（電力管理地域）における複数の需要家に対応する住宅、商業施設、産業施設などの需要家施設における電力を一括して管理するものである。このような電力管理システムは、例えばＴＥＭＳ（Town Energy Management System）やＣＥＭＳ（Community Energy Management System）などといわれるものに対応する。
【００１９】
本実施形態の電力管理システムは、図１において電力管理地域１として示す一定範囲の地域における複数の需要家施設１０ごとに備えられる電気設備を対象として電力管理を行う。
需要家施設１０は、例えば、住宅、商業施設、あるいは産業施設などに該当する。電力管理地域１が、例えば１つまたは複数の集合住宅に対応し、需要家施設１０のそれぞれが集合住宅における各戸であるような態様でもよい。
【００２０】
需要家施設１０の位置は、電力管理システムが管理する構成となっていれば、同様に管理されている他の需要家施設と同一地域に限定されなくとも良い。電力管理システムは、自身の管理下の需要家施設１０として登録され、後述するネットワーク３００を利用して管理する情報の送受信が行うことができれば、異なる地域（例えば、北海道、本州、九州、四国などの各地域）において登録された複数の需要家施設１０の集合体でも良い。
共通の電源とは、各需要家と接続される電線を通じて電力を供給可能な電源であり、商用電源、地域内の電源、およびこれら複数から構成されてもよい。
図１においては、共通の電源は、商用電源２と系統電源３である。需要家施設の１以上が電力供給源であることから、系統電源３は、需要家施設１０の各々と、これに接続される地域における電源線の集合体を含むものとなる。
【００２１】
図１に示す電力管理地域１における複数の需要家施設１０においては、再生可能エネルギーを利用して発電する発電装置である太陽電池を備える需要家施設１０が含まれる。電力管理地域１における複数の需要家施設１０においては、電気設備の１つとして蓄電池を備える需要家施設１０が含まれる。このような需要家施設１０のうちには、太陽電池と蓄電池の両者を備える需要家施設１０が有ってもよいし、太陽電池と蓄電池のいずれか一方を備える需要家施設１０が有ってもよい。
【００２２】
電力管理地域１における各需要家施設１０には、共通の系統電源３と接続されることで、商用電源２が分岐して供給される。各需要家施設１０は、系統電源３から供給される電力を負荷に供給することができる。これにより、負荷としての各種の電気設備（機器）が稼働される。
太陽電池（後述する太陽電池１０１）を備える需要家施設１０は、太陽電池の発電電力を系統電源３に出力させることができる。
蓄電池（後述する太陽電池１０３）を備える需要家施設１０においては、系統電源３から電力供給を受けて蓄電池に蓄電（充電）させることができる。蓄電池と太陽電池を備える需要家施設１０においては、系統電源３から電力供給を受けて蓄電池に蓄電するだけでなく、太陽電池の発電電力を蓄電池に充電させることができる。
【００２３】
本実施形態の電力管理システムにおいては、電力管理装置２００が備えられる。
電力管理装置２００は、電力管理地域１に属する各需要家施設１０における電気設備を対象として電力管理を実行する。このために、図１における電力管理装置２００は、ネットワーク３００を介して需要家施設１０の各々と相互通信可能なように接続される。これにより、電力管理装置２００は、各需要家施設１０における電気設備を制御することができる。
【００２４】
図１においては、電力管理装置２００を系統電源３に接続しているが、需要家施設１０が異なる地域に設けられている場合など、電力管理装置２００と系統電源３とを接続しない構成としても良い。この場合、電力管理装置２００と各需要家施設１０とがネットワーク３００を介して接続されているため、ネットワーク３００を介して、各需要家施設１０が接続されている系統電源３の情報を、各需要家施設１０から得るように、電力管理装置２００を構成する。
【００２５】
次に、図２を参照して、１つの需要家施設１０が備える電気設備の一例について説明する。図２は、１つの需要家施設１０が備える電気設備の構成例を示す図である。ここで、図２は需要家施設１０が備える電気設備の構成例を示している。この図２において、需要家施設１０は、電気設備として、太陽電池１０１、パワーコンディショナ１０２、蓄電池１０３、インバータ１０４、電力経路切替部１０５、負荷１０６、施設別制御部１０７の各々を備えている。
【００２６】
太陽電池１０１は、再生可能エネルギーである太陽光を利用する発電装置の１つであり、光起電力効果により光エネルギーを電力に変換することにより発電を行う。太陽電池１０１は、例えば需要家施設１０の屋根などのように、太陽光が他の建物に遮蔽されにくい場所に設置されている。これにより、太陽電池１０１は、発電素子が配置されている面に対し、太陽光が遮蔽されずに照射され、この照射された太陽光を効率的に電力に変換する。
パワーコンディショナ１０２は、太陽電池１０１に対応して備えられ、太陽電池１０１から出力される直流の電力を、負荷の電源入力の仕様に対応した電圧及び周波数の交流の電力に変換する。
【００２７】
インバータ１０４は、複数の蓄電池１０３ごとに対応して備えられるもので、蓄電池１０３に充電するための電力として、交流の電力を直流の電力に変換、または蓄電池１０３から放電により出力される電力として、直流の電力を交流の電力に変換する。つまり、インバータ１０４は、蓄電池１０３が入出力する直流の電力あるいは交流の電力の間の双方向変換を行う。
【００２８】
蓄電池１０３に対する充電時には、商用電源（系統電源ともいう）２またはパワーコンディショナ１０２から電力経路切替部１０５を介して充電のための交流の電力がインバータ１０４に供給される。インバータ１０４は、このように供給される交流の電力を直流の電力に変換し、蓄電池１０３に供給する。
蓄電池１０３の放電時には、蓄電池１０３から直流の電力が出力される。インバータ１０４は、このように蓄電池１０３から出力される直流の電力を交流の電力に変換して電力経路切替部１０５に供給する。
【００２９】
電力経路切替部１０５は、施設別制御部１０７の制御に応じて電力経路の切り替えを行う。この際、施設別制御部１０７は、電力管理装置２００の指示に応じて、電力経路切替部１０５を制御することができる。
上記の制御に応じて、電力経路切替部１０５は、同じ需要家施設１０において、商用電源２を負荷１０６に供給するように電力経路を形成することができる。
【００３０】
電力経路切替部１０５は、同じ需要家施設１０において、太陽電池１０１により発生された電力をパワーコンディショナ１０２から負荷１０６に供給するように電力経路を形成することができる。
電力経路切替部１０５は、同じ需要家施設１０において、商用電源２と太陽電池１０１の一方または両方から供給される電力をインバータ１０４経由で蓄電池１０３に充電するように電力経路を形成することができる。
【００３１】
電力経路切替部１０５は、同じ需要家施設１０において、蓄電池１０３から放電により出力させた電力を、インバータ１０４経由で負荷１０６に供給するように電力経路を形成することができる。
さらに、電力経路切替部１０５は、太陽電池１０１により発生された電力を、例えば商用電源２の電力系統を経由して、他の需要家施設１０における蓄電池に対して供給するように電力経路を形成することができる。
電力経路切替部１０５は、蓄電池１０３の放電により出力される電力を、他の需要家施設１０における負荷１０６に供給するように電力経路を形成することができる。
【００３２】
負荷１０６は、需要家施設１０において自己が動作するために電力を消費する機器や設備などが一つ以上含まれて構成されている。
施設別制御部１０７は、需要家施設１０における電気設備（太陽電池１０１、パワーコンディショナ１０２、蓄電池１０３、インバータ１０４、電力経路切替部１０５、負荷１０６のすべてまたは一部）を制御する。
【００３３】
すでに説明した図１に示す電力管理装置２００は、電力管理地域１に属する需要家施設１０全体における電気設備を対象として電力管理を実行する。このために、電力管理装置２００は、需要家施設１０における施設別制御部１０７の各々と、ネットワーク３００経由で相互通信可能なように接続される。これにより、施設別制御部１０７は、電力管理装置２００の制御に応じて自己の管理下にある需要家施設１０の各々の電気設備を制御することができる。
【００３４】
施設別制御部１０７を省略して、電力管理装置２００が各需要家施設１０における電気設備などを直接制御するようにしてもよい。しかし、本実施形態のように、電力管理装置２００と施設別制御部１０７を備えた構成とすることで、電力管理地域１全体と、需要家施設１０とで制御を階層化することにより、電力管理装置２００の制御の複雑化を回避することができる。
前述のように、電力管理地域１内の需要家施設１０のうちの一部において、例えば太陽電池１０１や、蓄電池１０３及びインバータ１０４を備えないものがあってもよい。
【００３５】
日中は、太陽電池１０１により電力が発生される一方で、例えば需要家施設１０内に在室する人の存在数（人数）が少ないような状態では、負荷１０６の消費電力が相当に小さくなる。このような状態では、電力管理地域１全体の太陽電池１０１により発生される電力の総量が、同じ電力管理地域１全体の負荷１０６が必要とする電力の総量を超える場合がある。このような場合、電力管理地域１全体の負荷１０６に電力管理地域１全体の太陽電池１０１により発生される電力を供給しても、電力管理地域１全体の太陽電池１０１の電力に余剰が生じる。
このように生じた余剰電力は、例えば電力管理地域１において設置されている蓄電池１０３に充電して蓄積させれば、有効に利用できることとなって好ましい。
【００３６】
発生する太陽電池１０１の余剰電力が小さい場合においては、蓄電池１０３に蓄積させるべき電力も小さなものとなる。インバータ１０４は、電力が一定以上の状態では電力損失が少ないが、電力が一定未満の状態では電力損失が顕著になるという特性を有している。
【００３７】
このために、電力管理地域１において発生した各太陽電池１０１の小さな余剰電力を、例えば、需要家施設１０ごとの蓄電池１０３に分配して充電したとすれば、各インバータ１０４の電力は相当に小さくなる。この場合、各インバータ１０４の電力損失は大幅に増加することになる。
需要家施設１０ごとにおいて個別に太陽電池１０１の余剰電力を蓄電池１０３に充電したとしても、上記の問題は同様に生じる。このようなインバータ１０４における電力損失の問題は、電力管理地域１において、蓄電池１０３から放電させた電力を負荷１０６に供給するにあたって、蓄電池１０３の放電電力が小さい状態である場合にも同様に生じる。
【００３８】
そこで、本実施形態の電力管理装置２００は、電力管理地域１内の需要家施設１０の蓄電池１０３に対して充電または放電を行うにあたり、以降説明するように、電力管理地域１内の需要家施設１０全体の余剰電力を合成し、インバータ１０４の電力損失の低減を図りながら所定の需要家施設１０が備える蓄電池１０３に対する充放電動作を制御する。
以降において説明する蓄電池１０３の充放電動作の制御は、電力管理地域１における太陽電池１０１から蓄電池１０３への充電電力の分配、もしくは、蓄電池１０３から負荷１０６への電力の分配を伴う。このため、以降において説明する蓄電池１０３に対する充放電動作の制御については電力分配制御とも呼ぶ。
【００３９】
次に、図３を参照して、電力管理装置２００の電力分配制御に対応する構成例について説明する。図３は、第１の実施形態における電力管理装置２００の構成例を示す図である。電力管理装置２００は、電力分配制御に対応して、ネットワークＩ／Ｆ部２０１、電力管理部２０２及び電力管理計画部２０３を備える。
ネットワークＩ／Ｆ部２０１は、ネットワーク３００を介して、各需要家施設１０の施設別制御部１０７と、あるいは他の電力管理地域の電力管理装置２００との間で各種データの送受信を行う。
【００４０】
電力管理部２０２は、電力管理地域１における複数の需要家施設１０における電気設備を対象とする所定の電力管理を実行する。
本実施形態における電力管理部２０２が実行する電力管理は、需要家施設１０ごとにおけるインバータ１０４の損失の低減を図るための上述の電力分配制御である。
電力管理計画部２０３が、需要家施設１０毎に電力管理計画を作成し、施設別制御部１０７に対して実行させる。
【００４１】
図３に示す電力管理部２０２は、総電力算出部２２１、分配電力決定部２２２、分配制御部２２３及びインバータ効率特性記憶部２２４を備える。
総電力算出部２２１は、電力管理地域１において、複数の蓄電池１０３の群に対して充電すべき総電力（充電総電力）または複数の蓄電池１０３の群から放電させるべき総電力（放電総電力）を算出する。なお、以降において、充電総電力と放電総電力とで特に区別しない場合には、総電力と記載する。
【００４２】
分配電力決定部２２２は、インバータ１０４ごとのインバータ効率特性に基づいて複数の需要家施設１０の蓄電池１０３のうちから、少なくとも１つの蓄電池１０３を総電力の分配対象として決定する。これとともに、分配電力決定部２２２は、決定された分配対象としての需要家施設１０における蓄電池１０３ごとに分配する分配電力を決定する。
分配制御部２２３は、分配対象としての各需要家施設１０の蓄電池１０３それぞれに決定された分配電力が分配されるように制御する。
【００４３】
インバータ効率特性記憶部２２４は、分配電力決定部２２２が利用するインバータ１０４ごとのインバータ効率特性を予め記憶する。換言すれば、インバータ効率特性記憶部２２４は、電力管理地域１において備えられるインバータ１０４ごとのインバータ効率特性を記憶する。
１つのインバータ効率特性は、対応のインバータ１０４についての電力に応じた効率の変動特性を示す。そのうえで、インバータ効率特性記憶部２２４は、電力管理地域１におけるインバータ１０４ごとのインバータ効率特性をインバータ効率特性テーブルに格納するように記憶する。
【００４４】
図３に示す電力管理計画部２０３は、消費電力推定部２３１と、発電電力推定部２３２と、電力管理計画作成部２３３と、デマンド入力部２３４と、電力管理計画補正部２３５と、記憶部２３６とを備えている。
消費電力推定部２３１は、この需要家施設１０における消費電力の履歴と、次の日の天気予報のデータとから、次の日の消費電力の予測値としての消費電力の電力量パターン（電力需要予測）を所定の期間間隔（日毎、時間毎、分毎などであり、以下、時間間隔と示し、例えば、本実施形態においては１分毎）で求め、求めた消費電力の電力量パターンを、後述する電力制御推定パターンの一部とし、記憶部２３６に対して書き込んで記憶させる。
【００４５】
このとき、消費電力の予測値としての電力パターンを求める一例として、消費電力推定部２３１は、予測する日と同一季節の範囲における天候と温度とが所定の設定した範囲で近似している日を選択し、選択した日の消費電力を平均する計算を行い、この計算から得られた平均値を翌日の予測需要電力とする。この予測需要電力は単位時間毎の需要電力量パターンである。単位時間は、任意に設定される幅の時間周期であるが、例えばデマンド時間の３０分である。消費電力推定部２３１は、予測需要電力を記憶部２３６の所定のアドレスに書き込んで記憶させ、このアドレスを予測需要電力アドレスとして記憶部２３６の電力管理計画テーブルに、需要家施設の各々を識別する需要家施設識別情報に対応させて書き込んで記憶させる。
【００４６】
発電電力推定部２３２は、翌日と同一季節の範囲、かつ同様の天気の発電電力の発電電力量パターンから、翌日における太陽電池１０１の発電する発電電力量の単位時間毎の発電電力量パターンである予測発電電力を推定する。発電電力推定部２３２は、予測発電電力を記憶部２３６の所定のアドレスに書き込んで記憶させ、このアドレスを予測発電電力アドレスとして記憶部２３６の電力管理計画テーブルに、需要家施設識別情報に対応させて書き込んで記憶させる。
【００４７】
電力管理計画作成部２３３は、予測発電電力及び予測需要電力の各々の単位時間毎の差分を求め、すなわち、単位予測発電電力から予測需要電力を減算し、この減算結果を予測余剰電力とする。
電力管理計画作成部２３３は、この予測余剰電力を順次積算し、予測積算余剰電力を算出する。この予測積算余剰電力は、本実施形態において、単位時間毎の蓄電池１０３の蓄電電力量（予測発電電力量と予測需要電力量との差分が蓄電池１０３に対して充電される電力量）を示している。
【００４８】
ここで、電力管理計画作成部２３３は、太陽電池１０１の発電が開始される時刻時点において蓄電池１０３の蓄電電力量、すなわち予測積算余剰電力が放電終止蓄電池容量（例えば、ＳＯＣ（state of charge）２０％）であるとして電力管理計画を立てる。本実施形態においては、上記ＳＯＣ２０％を、放電終止蓄電池容量が「０」と表現して説明する。
電力管理計画作成部２３３は、需要家施設識別情報に対応させて、予測余剰電力及び予測積算余剰電力の各々のパターンが記憶されているアドレスである予測余剰電力アドレス、予測積算余剰電力アドレスそれぞれを記憶部２３６の電力管理計画テーブルに書き込んで記憶させる。
【００４９】
図４は、記憶部２３６に記憶されている電力管理計画テーブルの構成例を示す図である。図４において、電力管理計画テーブルには、需要家施設識別情報に対応して、予測需要電力アドレス、予測発電電力アドレス、予測余剰電力アドレス及び予測積算余剰電力アドレスの各々が書き込まれている。予測需要電力アドレスは、対応する需要家施設識別情報が示す需要家施設の予測需要電力の単位時間毎の予測需要電力値である電力パターンが書き込まれている記憶部２３６における領域を示している。
【００５０】
予測発電電力アドレスは、対応する需要家施設識別情報が示す需要家施設の予測発電電力の単位時間毎の予測発電電力値である電力パターンが書き込まれている記憶部２３６における領域を示している。予測余剰電力アドレスは、対応する需要家施設識別情報が示す需要家施設の予測余剰電力の単位時間毎の予測余剰電力値である電力パターンが書き込まれている記憶部２３６における領域を示している。予測積算余剰電力アドレスは、対応する需要家施設識別情報が示す需要家施設の予測積算余剰電力の単位時間毎の予測積算余剰電力値である電力パターンが書き込まれている記憶部２３６における領域を示している。
【００５１】
図３に戻り、電力管理計画補正部２３５は、電力管理地域１に含まれる需要家施設１０の各々の電力管理計画の補正を行う。電力管理地域１に含まれる需要家施設１０の各々の予測積算余剰電力を読み出し、予測積算余剰電力値が最低となる単位時間の時刻を検出する。そして、電力管理計画補正部２３５は、需要家施設１０の各々において、最低の予測積算余剰電力値が０以下となっている場合、この最低の予測積算余剰電力値が０となるように、その日の予測積算余剰電力値の初期値の電力容量を設定する。この電力容量は、その日が開始される前に夜間電力により蓄電池１０３に充電させる蓄電容量である。
【００５２】
蓄電池１０３が設けられていない需要家施設、あるいは蓄電池１０３の容量が小さい需要家施設の場合、電力を余剰電力を有する他の需要家施設１０から供給してもらう必要がある。このため、電力管理計画補正部２３５は、補正後においても最低の積算余剰電力値が０未満の需要家施設に供給する電力を内部供給デマンド電力とする。
そして、電力管理計画補正部２３５は、この内部供給デマンド電力を最低の積算余剰電力値が０となった需要家施設１０（余剰需要家）に対して振り分ける。
【００５３】
このとき、電力管理計画補正部２３５は、内部供給デマンド電力における各時刻の単位時間の電力値を、内部供給デマンド電力の全て、あるいは一部を振り分ける先の余剰需要家の電力管理計画における予測需要電力の対応する時刻の単位時間の電力値に対して加算し、内部供給デマンド電力を含む予測需要電力とする補正を行う。
【００５４】
そして、電力管理計画補正部２３５は、単位時間毎に予測発電電力から補正した予測需要電力を減算し、新たな予測余剰電力を求める。電力管理計画補正部２３５は、時系列に各時刻の時間単位の予測余剰電力の電力値を加算し、新たな予測積算余剰電力を算出する。次に、電力管理計画補正部２３５は、予測積算余剰電力の電力値である予測積算余剰電力値が最低となる時刻の単位時間を検出する。電力管理計画補正部２３５は、この最低の予測積算余剰電力値が０となるように、予測積算余剰電力値の初期値の電力容量を設定する。
【００５５】
図５は、電力管理計画作成部２３３により作成される電力管理計画のパターン図の一例を示す図である。図５において、第１の縦軸（図の左側の縦軸）は３０分毎の電力量を示し、第２の縦軸（図の右側の縦軸）は蓄電池残容量を示し、横軸は時刻を示している。図５において、実線が余剰積算予測（予測積算余剰電力）のパターンを示し、点線が発電予測（予測発電電力）のパターンを示し、一点鎖線が需要予測（予測需要電力）のパターンを示し、二点鎖線が余剰予測（予測余剰電力）のパターンを示している。発電予測需要予測及び余剰予測の各々が第１の縦軸に対応し、余剰積算予測が第２の縦軸に対応している。
【００５６】
本実施形態においては、６時（午前６時）から２３時（午後１１時）までの、予測需要予測、予測発電予測、予測余剰予測及び予測積算余剰予測の各々のパターンを電力管理計画として作成される。そして、後述する蓄電池１０３に対する夜間における充電は、需要家施設１０において電力の需要が開始される６時以前に行われる。夜間電力料金で蓄電するためと、日の出前で日照が無く太陽電池１０１で発電できず、電力の需要が開始される時点までに蓄電池１０３が充電される。
【００５７】
発電電力推定部２３２が推定した発電予測のパターンから消費電力推定部２３１が推定した需要予測のパターンを、単位時間毎に減算することにより、電力管理計画作成部２３３が余剰予測を生成している。余剰積算予測のパターンは、電力管理計画作成部２３３が単位時間（３０分）毎に順次余剰予測の電力量を積算して求められている。ただし、３０分（単位時間毎）の余剰予測の電力量（Ｗｈ）を積算しているため、そのままの積算値であると、積算値が時間（６０分）に対して２倍となるため、積算値を２で除算した電力量（ｋＷｈ）で示している。この余剰積算予測のパターンは、蓄電池１０３に蓄電されている蓄電池残容量を示している。
【００５８】
ここで、電力管理計画補正部２３５が６時以降の余剰積算予測の最低値が負であるか否かの判定を行う。図５においては、午前８時３０分において余剰積算予測が最低値となり、かつこの最低値が−５ｋＷｈの負となっている。このため、後述するように（図６）、電力管理計画補正部２３５が図５における余剰積算予測の最低値が０となるように、電力管理計画作成部２３３の作成した電力管理計画の補正を行う。
【００５９】
図６は、電力管理計画補正部２３５が需要家施設自身の需要予測に対応した補正処理を行った電力管理計画のパターン図の一例を示す図である。図６において、第１の縦軸（図の左側の縦軸）は３０分毎の電力量を示し、第２の縦軸（図の右側の縦軸）は蓄電池残容量を示し、横軸は時刻を示している。図６において、実線が余剰積算予測（予測積算余剰電力）のパターンを示し、点線が発電予測（予測発電電力）のパターンを示し、一点鎖線が需要予測（予測需要電力）のパターンを示し、二点鎖線が余剰予測（予測余剰電力）のパターンを示している。発電予測需要予測及び余剰予測の各々が第１の縦軸に対応し、余剰積算予測が第２の縦軸に対応している。
【００６０】
ここで、電力管理計画補正部２３５が６時以降の余剰積算予測の最低値が負であるか否かの判定を行い、余剰積算予測が負であった場合に、余剰積算予測のパターンの負の最低値を、補正電力量として求め、この電力量を余剰積算予測の初期値に対して加算する（目標充電電力の算出）。太陽の日照が得られない早朝などの太陽電池１０１が発電できない時間帯に消費される電力量を、系統電源の夜間電力を用いて午前３時３０分から蓄電池１０３に対して充電する計画を生成する。この図６においては、午前６時から午前６時３０分、午前６時３０分から午前７時、午前７時から午前７時３０分、午前７時３０分から午前８時、午前８時から午前８時３０分の各３０分間にすべて約３００ｗの放電を行う計画に変更する。２時間３０分にわたって３００ｗを継続的に供給し、約７５０ｗｈを供給デマンド電力量に対応して蓄電池１０３から供給する例である。
【００６１】
電力管理計画補正部２３５は、余剰積算予測の最低値が負であるか否かの判定を行い、余剰積算予測が正であった場合、余剰積算予測を変更するための処理を行わない。図６から判るように、需要予測が開始される時間帯（６時〜８時３０分）において、太陽電池１０１が発電できず発電予測が需要予測より低い電力量のため、余剰予測の電力が負となっており、余剰積算予測が減少していることから、この電力が蓄電池１０３からの放電で賄われていることが判る。
ここで、この余剰積算予測のパターンは、蓄電池１０３に蓄電されている蓄電池残容量を示している。
【００６２】
図７は、電力管理計画作成部２３３により作成される電力管理計画のパターン図の一例を示す図である。図７において、第１の縦軸（図の左側の縦軸）は３０分毎の電力量を示し、第２の縦軸（図の右側の縦軸）は蓄電池残容量を示し、横軸は時刻を示している。図７において、実線が余剰積算予測（予測積算余剰電力）のパターンを示し、点線が発電予測（予測発電電力）のパターンを示し、一点鎖線が需要予測（予測需要電力）のパターンを示し、二点鎖線が余剰予測（予測余剰電力）のパターンを示している。発電予測需要予測及び余剰予測の各々が第１の縦軸に対応し、余剰積算予測が第２の縦軸に対応している。
【００６３】
本実施形態においては、６時（午前６時）から２３時（午後１１時）までの、予測需要予測、予測発電予測、予測余剰予測及び予測積算余剰予測の各々のパターンを電力管理計画として作成される。そして、後述する蓄電池１０３に対する夜間における充電は、需要家施設１０において電力の需要が開始される６時以前に行われる。夜間電力料金で蓄電するためと、日の出前で日照が無く太陽電池１０１で発電できず、電力の需要が開始される時点までに蓄電池１０３が充電される。
【００６４】
発電電力推定部２３２が推定した発電予測のパターンから消費電力推定部２３１が推定した需要予測のパターンを、単位時間毎に減算することにより、電力管理計画作成部２３３が余剰予測を生成している。余剰積算予測のパターンは、電力管理計画作成部２３３が単位時間（３０分）毎に順次余剰予測の電力量を積算して求められている。ただし、３０分（単位時間毎）の余剰予測の電力量（Ｗｈ）を積算しているため、そのままの積算値であると、積算値が時間（６０分）に対して２倍となるため、積算値を２で除算した電力量（ｋＷｈ）で示している。この余剰積算予測のパターンは、蓄電池１０３に蓄電されている蓄電池残容量を示している。
【００６５】
ここで、電力管理計画補正部２３５が６時以降の余剰積算予測の最低値が負であるか否かの判定を行う。そして、図７においては、午前８時において余剰積算予測が最低値となり、かつこの最低値が−４９０６Ｗｈの負となっている。このため、後述するように（図８）、電力管理計画補正部２３５が図７における余剰積算予測の最低値が０となるように、電力管理計画作成部２３３の作成した電力管理計画の補正を行う。
【００６６】
図８は、電力管理計画補正部２３５が需要家施設に対する供給デマンド電力量に対応した補正処理を行った電力管理計画のパターン図の一例を示す図である。図８において、第１の縦軸（図の左側の縦軸）は３０分毎の電力量を示し、第２の縦軸（図の右側の縦軸）は蓄電池残容量を示し、横軸は時刻を示している。図８において、実線が余剰積算予測（予測積算余剰電力）のパターンを示し、点線が発電予測（予測発電電力）のパターンを示し、一点鎖線が需要予測（予測需要電力）のパターンを示し、二点鎖線が余剰予測（予測余剰電力）のパターンを示している。発電予測需要予測及び余剰予測の各々が第１の縦軸に対応し、余剰積算予測が第２の縦軸に対応している。
【００６７】
電力管理計画補正部２３５は、図６に示した需要家施設自身の需要予測に基づいた補正を行った後、電力管理地域１内の他の需要家施設に提供する電力の電力量である需要デマンド電力量に対応する補正を行う。このとき、電力管理計画補正部２３５は、記憶部２３６の電力管理計画テーブルにおける需要家施設１０のなかから、余剰積算予測の最大値が蓄電池の最大蓄電容量未満の需要家施設１０を選択し、これらに対して電力管理地域１内における供給電力デマンド電力量を振り分ける。
【００６８】
ここで、電力管理計画補正部２３５は、供給電力デマンド電力量を対応する時刻の単位時間毎に、振り分け先の需要家施設１０の需要予測のパターンに対して加算し、発電予測から減算して新たな余剰予測のパターンを求める。そして、図８で求めた蓄電池１０３の６時における蓄電池残容量に対して、求めた余剰予測の単位時間の電力量を順次積算する。この図８においては、午前５時から午前５時３０分、午前５時３０分から午前６時、午前６時から午前６時３０分、午前６時３０分から午前７時の各３０分間にすべて２ｋｗの放電を行う計画に変更する。２時間にわたって２ｋｗを継続的に供給し、４ｋｗｈを供給デマンド電力量に対応して蓄電池１０３から供給する例である。
【００６９】
そして、電力管理計画補正部２３５が６時以降の余剰積算予測の最低値が負であるか否かの判定を行い、余剰積算予測が負であった場合に、余剰予測のパターンの負の部分（３０分毎の電力量）を積算（積分）し、補正電力量を求め、この電力量を余剰積算予測の初期値に対して加算する。ここで求められる補正電力量は、他の需要家施設１０に対して供給する需要電力デマンド電力量である。太陽の日照が得られない早朝などの太陽電池１０１が発電できない時間帯に、他の需要家施設１０に対して供給する電力量を、系統電源の夜間電力を用いて蓄電池１０３に対して充電する計画を生成する。電力管理計画補正部２３５を、供給電力デマンド電力のパターンにおいて、単位時間毎の電力量を積算し、この積算結果を補正電力量とする構成としても良い。
【００７０】
図９は、電力管理計画補正部２３５が需要家施設に対する供給デマンド電力量に対応した補正処理を行った電力管理計画のパターン図の他の一例を示す図である。図９において、第１の縦軸（図の左側の縦軸）は３０分毎の電力量を示し、第２の縦軸（図の右側の縦軸）は蓄電池残容量を示し、横軸は時刻を示している。図９において、実線が余剰積算予測（予測積算余剰電力）のパターンを示し、点線が発電予測（予測発電電力）のパターンを示し、一点鎖線が需要予測（予測需要電力）のパターンを示し、二点鎖線が余剰予測（予測余剰電力）のパターンを示している。発電予測需要予測及び余剰予測の各々が第１の縦軸に対応し、余剰積算予測が第２の縦軸に対応している。
【００７１】
この図９においては、需要デマンド電力量から分配された供給デマンド電力量を予測需要電力のパターンに含めた場合、午前９時３０分から午前１１時までにおいて需要デマンド電力量があるため、午前１１時でなく、午後１１時３０分（２３時３０分）において予測積算余剰電力のパターンにおいて電力量の最低値として検出された。
このため、電力管理計画補正部２３５は、図６に示した需要家施設自身の需要予測に基づいた補正を行った後、電力管理地域１内の他の需要家施設に提供する電力の電力量である需要デマンド電力量に対応する補正を行う。
【００７２】
このとき、電力管理計画補正部２３５は、記憶部２３６の電力管理計画テーブルにおける需要家施設１０のなかから、余剰積算予測の最大値が蓄電池の最大蓄電容量未満の需要家施設１０を選択し、これらに対して電力管理地域１内における供給電力デマンド電力量を振り分ける。ここで、電力管理計画補正部２３５は、供給電力デマンド電力量を対応する時刻の単位時間毎に、振り分け先の需要家施設１０の需要予測のパターンに対して加算し、発電予測電力から減算して新たな余剰予測のパターンを求める。そして、図６で求めた蓄電池１０３の６時における蓄電池残容量に対して、求めた余剰予測の単位時間の電力量を順次積算する。
【００７３】
そして、電力管理計画補正部２３５が午前６時以降の余剰積算予測の最低値が負であるか否かの判定を行い、余剰積算予測が負であった場合に、余剰予測のパターンの負の部分（３０分毎の電力量）を積算（積分）し、補正電力量を求め、この電力量を余剰積算予測の初期値に対して加算する。ここで求められる補正電力量は、他の需要家施設１０に対して供給する需要電力デマンド電力量である。太陽の日照が得られない早朝あるいは夜間などの太陽電池１０１が発電できずに余剰電力が低下する時間帯に、他の需要家施設１０に対して供給する電力量を、系統電源の夜間電力を用いて蓄電池１０３に対して充電する計画を生成する。電力管理計画補正部２３５を、供給電力デマンド電力のパターンにおいて、単位時間毎の電力量を積算し、この積算結果を補正電力量とする構成としても良い。
【００７４】
図５、図６、図７、図８及び図１０を用いて本実施形態の電力管理システムの動作について説明する。図１０は、本実施形態の電力管理システムによる電力管理計画を生成する処理の動作例を示すフローチャートである。 
ステップＳ１：
発電電力推定部２３２は、電力管理計画を立てる対象の日の天気、需要家施設１０の各々の同様の天気や気温の日における過去の発電電力の実績から、対象の日の予測発電電力のパターンを生成する。そして、発電電力推定部２３２は、生成した予測発電電力のパターンを記憶部２３６の所定の領域に書き込んで記憶させ、この所定の領域のアドレスである予測発電電力アドレスを、各需要家施設１０の需要家施設識別情報に対応させて、記憶部２３６における電力管理計画テーブルに書き込んで記憶させる。電力管理計画における消費電力の推定は、天気や気温に基づいて行う他に、単純に直近の日（過去の日）における実績や過去の同一の曜日毎における実績の消費電力を用いて行うこともできる。これらの消費電力の推定については、需要家施設１０毎にそれぞれ選択して用いることもできる。
【００７５】
ステップＳ２：
消費電力推定部２３１は、電力管理計画を立てる対象の日の天気、需要家施設１０の各々の同様の天気や気温の日における過去の需要電力の実績から、対象の日の予測発需要力のパターンを生成する。そして、消費電力推定部２３１は、生成した予測需要電力のパターンを記憶部２３６の所定の領域に書き込んで記憶させ、この所定の領域のアドレスである予測需要電力アドレスを、各需要家施設１０の需要家施設識別情報に対応させて、記憶部２３６における電力管理計画テーブルに書き込んで記憶させる。
【００７６】
ステップＳ３：
電力管理計画作成部２３３は、記憶部２３６における電力管理計画テーブルから順番に（例えば、電力管理計画テーブルに記載された順番に）、各需要家施設識別情報に対応して、予測発電電力アドレス及び予測需要電力アドレスの各々を読み出す。そして、電力管理計画作成部２３３は、予測発電電力アドレスに対応した予測発電電力のパターンと、予測需要電力アドレスに対応した予測需要電力のパターンとを記憶部２３６から読み出す。
電力管理計画作成部２３３は、単位時間毎に、予測発電電力のパターンの電力量から予測需要電力のパターンの電力量を減算し、予測余剰電力のパターンを生成する。電力管理計画作成部２３３は、電力管理計画テーブルに記載されている全ての需要家施設識別情報に対応する需要家施設１０の予測余剰電力のパターンを生成する。
【００７７】
電力管理計画作成部２３３は、生成した予測余剰電力のパターンを記憶部２３６の所定の領域に書き込んで記憶させ、この所定の領域のアドレスである予測余剰電力アドレスを、各需要家施設１０の需要家施設識別情報に対応させて、記憶部２３６における電力管理計画テーブルに書き込んで記憶させる。
ここで、余剰電力のパターンがプラスの場合、予測発電電力が予測需要電力より多い。一方、余剰電力のパターンがマイナスの場合、予測発電電力が予測需要電力より少ない。ここで、予測余剰電力がプラスの場合には蓄電池１０３にこの余剰電力が充電される。予測余剰電力がマイナスの場合には蓄電池１０３からこの余剰電力が放電される。
【００７８】
ステップＳ４：
電力管理計画作成部２３３は、記憶部２３６における電力管理計画テーブルから順番に、各需要家施設識別情報に対応して、予測余剰電力アドレスを読み出す。そして、電力管理計画作成部２３３は、予測余剰電力アドレスに対応した予測余剰電力のパターンを記憶部２３６から読み出す。
電力管理計画作成部２３３は、読み出した予測余剰電力のパターンにおける単位時間毎の電力量積算し、各単位時間の蓄電池１０３の残電力容量を示す予測積算余剰電力のパターンを作成する。
【００７９】
そして、電力管理計画作成部２３３は、生成した予測積算余剰電力のパターンを記憶部２３６の所定の領域に書き込んで記憶させ、この所定の領域のアドレスである予測積算余剰電力アドレスを、各需要家施設１０の需要家施設識別情報に対応させて、記憶部２３６における電力管理計画テーブルに書き込んで記憶させる。ここで、電力管理計画作成部２３３は、電力管理計画テーブルに記載されている全ての需要家施設識別情報に対応する需要家施設１０の予測積算余剰電力のパターンを生成する。
図５に示されるように、予測発電電力、予測需要電力、予測余剰電力及び予測積算余剰電力の各々の電力量のパターンが生成される。
【００８０】
ステップＳ５：
電力管理計画作成部２３３は、午前６時以前の時点における蓄電池１０３の前日からの残電力容量、例えば図１０に示すように、残電力容量０Ｗｈを目標充電電力とする。
【００８１】
ステップＳ６：
電力管理計画補正部２３５は、電力管理計画作成部２３３が作成した電力管理計画の補正を行う。詳細は後述するが、予測積算余剰電力の最低値を検出し、この最低値が負であった場合、その負の最低値に対応する正の電力量を、新たな目標充電電力とする。例えば、図５においては、午前８時に予測積算余剰電力が最低値となり、電力量として−７０６ｋＷｈとなっている。このため、７０６ｋＷｈを目標充電電力として、後述するように、夜間電力により充電しておくことで、午前８時における予測積算余剰電力を０とすることができる。
【００８２】
電力管理計画補正部２３５は、図６に示すように、午前６時以前に蓄電池１０３に対して目標充電電力に対応する電力を、系統電源の夜間電力から売電して蓄電する計画を生成する。これにより、太陽電池１０１から発電電力が供給されない時間帯における需要家施設１０における予測余剰電力の負の電力量を、蓄電池１０３の電力量で賄うことができる。この結果、太陽電池１０１から発電電力が供給されない時間帯において、足りない電力量を系統電源から買電する必要がなくなる。すなわち、蓄電池１０３の蓄電池残容量が負（マイナス）となることが無くなるため、消費電力に対して発電電力が不足する電力量の全てが蓄電池１０３から賄うことが可能とになり、系統電源から買電する必要が無くなる。
【００８３】
ステップＳ７：
電力管理計画補正部２３５は、デマンド入力部２３４に対して、いずれかの需要家施設１０から需要デマンド電力の要求があるか否かの判定を行う。
このとき、需要家施設１０のいずれかが通常と異なり、余分な電力を必要とした場合、需要家施設１０は、必要な電力量とその必要な時間帯とを需要デマンド電力のパターンとしてデマンド入力部２３４に対して送信する。
【００８４】
そして、デマンド入力部２３４は、電力管理計画補正部２３５から需要デマンド電力の問い合わせを受けた場合、需要デマンド電力の要求の有無を電力管理計画補正部２３５に対して回答する。
そして、電力管理計画補正部２３５は、デマンド入力部２３４からの返答が需要デマンド電力の要求があったことを示す場合、需要デマンド電力の要求が有りとし、処理をステップＳ８へ進める。一方、電力管理計画補正部２３５は、デマンド入力部２３４からの返答が需要デマンド電力の要求が無いことを示す場合、需要デマンド電力の要求が無しとし、処理をステップＳ１２へ進める。
【００８５】
ステップＳ８：
電力管理計画補正部２３５は、デマンド入力部２３４に対し、需要デマンド電力量のパターンを要求する。そして、デマンド入力部２３４は、要求に対応して需要デマンド電力量のパターンを電力管理計画補正部２３５に対して出力する。
次に、電力管理計画補正部２３５は、入力した需要デマンド電力量を各需要家施設１０に対して、振り分ける処理を行う。振り分け方は、記憶部２３６に予め書き込んで記憶されている各需要家施設１０と需要家施設１０の蓄電池１０３の電力容量との蓄電池テーブルにより、電力容量の比に対応させて、需要デマンド電力量のパターンの電力量を調整し、調整結果を供給デマンド電力量として、需要デマンド要求を行った需要家施設１０を除いた需要家施設１０に対して振り分ける。
【００８６】
例えば、蓄電池１０３の蓄電できる電力容量が２０ｋＷｈ、３０ｋＷｈ、５０ｋＷｈの３件の需要家施設１０に振り分ける場合、以下のようになる。２０ｋＷｈの需要家施設１０に対しては２０ｋＷｈ／１００ｋＷｈ、すなわち需要デマンド電力量のパターンの各単位時間当たりの電力量が２割となるように調整された供給デマンド電力が振り分けられる。３０ｋＷｈの需要家施設１０に対しては３０ｋＷｈ／１００ｋＷｈ、すなわち需要デマンド電力量のパターンの各単位時間当たりの電力量が３割となるように調整された供給デマンド電力が振り分けられる。５０ｋＷｈの需要家施設１０に対しては５０ｋＷｈ／１００ｋＷｈ、すなわち需要デマンド電力量のパターンの各単位時間当たりの電力量が５割となるように調整された供給デマンド電力量が振り分けられる。
【００８７】
ステップＳ９：
電力管理計画補正部２３５は、供給デマンド電力量が振り分けられた需要家施設１０の予測需要電力アドレスを、この需要家施設１０の需要家施設識別情報により、記憶部２３６の電力管理計画テーブルから読み出す。そして、電力管理計画補正部２３５は、この読み出した予測需要電力アドレスにより、記憶部２３６から予測需要電力のパターンを読み出す。
次に、電力管理計画補正部２３５は、読み出した予測需要電力のパターンの各時刻の単位時間の電力量に対し、供給デマンド電力量のパターンの対応する時刻の単位時間の電力量を加算し、供給デマンド電力量を含む新たな予測需要電力のパターンを作成する。
【００８８】
電力管理計画補正部２３５は、供給デマンド電力量が振り分けられた需要家施設１０の予測発電電力アドレスを、この需要家施設１０の需要家施設識別情報により、記憶部２３６の電力管理計画テーブルから読み出す。そして、電力管理計画補正部２３５は、この読み出した予測発電電力アドレスにより、記憶部２３６から予測発電電力のパターンを読み出す。
そして、電力管理計画補正部２３５は、読み出した予測発電電力のパターンの各時刻の単位時間の電力量から、新たに作成した予測需要電力のパターンの対応する時刻の単位時間の電力量を減算し、新たな予測余剰電力のパターンを作成する。
次に、電力管理計画補正部２３５は、新たに作成した予測需要電力のパターンにおいて、時系列に各時刻の時間単位の予測余剰電力の電力値を加算し、新たな予測積算余剰電力を算出する。
【００８９】
ステップＳ１０：
電力管理計画補正部２３５は、各需要家施設１０における予測余剰電力に対応して自身補正して作成した電力管理計画の補正を行う。詳細は後述するが、予測積算余剰電力の最低値を検出し、この最低値が負であった場合、その負の最低値に対応する正の電力量を、新たな目標充電電力とする。例えば、図８においては、図７において午前８時３０分に予測積算余剰電力の最低値が−４９０６Ｗｈ）となっていたものを、０と補正したものである。このため、５ｋＷｈを目標充電電力として、後述するように、夜間電力により充電しておくことで、午前８時３０分における予測積算余剰電力を０とすることができる。
【００９０】
電力管理計画補正部２３５は、図８に示すように、午前６時以前に蓄電池１０３に対して目標充電電力に対応する電力を、系統電源の夜間電力から売電して蓄電する計画を生成する。これにより、太陽電池１０１から発電電力が供給されない時間帯における需要家施設１０における予測余剰電力の負の電力量と、電力管理地域１における他の需要家施設１０における供給デマンド電力量とを、蓄電池１０３の電力量で賄うことができる。この結果、太陽電池１０１から発電電力が供給されない時間帯において、電力管理地域１における需要家施設１０の各々は足りない電力量を系統電源から買電する必要がなくなる。
【００９１】
電力管理計画補正部２３５は、補正した予測需要電力、予測余剰電力及び予測積算余剰電力の各々のパターンを新たな電力管理計画として、記憶部２３６に対して書き込んで記憶する。
そして、電力管理計画補正部２３５は、余剰需要電力、予測余剰電力及び予測積算余剰電力の各々のパターンを書き込んだアドレスを、それぞれ余剰需要電力アドレス、予測余剰電力アドレス及び予測積算余剰電力アドレスとして、記憶部２３６の電力管理計画テーブルに対して、需要家施設１０の需要家施設識別情報に対応させて書き込んで記憶させる。
【００９２】
ステップＳ１１：
電力管理計画補正部２３５は、需要家施設１０の需要家識別情報に対応して、順次記憶部２３６の電力管理計画テーブルから予測発電電力アドレス、余剰需要電力アドレス、予測余剰電力アドレス及び予測積算余剰電力アドレスを読み出す。
電力管理計画補正部２３５は、読み出した予測発電電力アドレス、余剰需要電力アドレス、予測余剰電力アドレス及び予測積算余剰電力アドレスにより、予測発電電力、余剰需要電力、予測余剰電力及び予測積算余剰電力の各々を記憶部２３６から読み出す。
そして、電力管理計画補正部２３５は、需要家施設１０に対応する電力管理計画として、読み出す毎に順次、予測発電電力、余剰需要電力、予測余剰電力及び予測積算余剰電力の各々のパターンを、電力管理地域１内の需要家施設１０の各々に対して出力する。
【００９３】
次に、図１１を用いてステップＳ６における電力管理計画補正部２３５による電力管理計画の補正の処理の詳細な説明を行う。図１１は、本実施形態の電力管理システムによる電力管理計画を補正する処理の動作例を示すフローチャートである。
ステップＳ２１：
電力管理計画補正部２３５は、記憶部２３６の電力管理計画テーブルから、需要家施設１０の需要家施設識別情報に対応して、予測積算余剰電力アドレスを順次読み出す。
そして、電力管理計画補正部２３５は、読み出した予測積算余剰電力アドレスにより、対応する需要家施設１０の予測積算余剰電力のパターンを記憶部２３６から読み出す。
電力管理計画補正部２３５は、読み出した予測積算余剰電力のパターンにおける電力量の最低値を検出する。
【００９４】
ステップＳ２２：
次に、電力管理計画補正部２３５は、検出された予測積算余剰電力のパターンにおける最低値の電力量が０未満か否かの判定を行う。
このとき、電力管理計画補正部２３５は、検出された予測積算余剰電力のパターンにおける最低値の電力量が０未満である場合、処理をステップＳ２３へ進める。一方、電力管理計画補正部２３５は、検出された予測積算余剰電力のパターンにおける最低値の電力量が０未満でない場合、処理をステップＳ７（図１０）へ進める。例えば、図６において午前８時の−７０６Ｗｈが最低値であり、電力管理計画補正部２３５は、最低値が０未満であるため、処理をステップＳ２３へ進める。
【００９５】
ステップＳ２３：
電力管理計画補正部２３５は、予測積算余剰電力の目標充電電力に対して、最低値の電力量の絶対値を加算し、予測積算余剰電力のパターンを補正する。これにより、最低値の電力量を０とすることができ、系統電源から予測積算余剰電力における負の電力量を買電する必要がなくなる。例えば、図６において、−７０６Ｗｈの絶対値である７０６Ｗｈを充電目標電力に対して加算することにより、午前８時における予測積算余剰電力の電力量を０とすることができる。
【００９６】
ステップＳ２４：
電力管理計画補正部２３５は、午前６時以降の予測積算余剰電力のパターンにおいて、電力量の最大値を検出する。
【００９７】
ステップＳ２５：
電力管理計画補正部２３５は、検出した電力量の最大値が、蓄電池１０３の最大の最大蓄電容量（例えば、ＳＯＣ８０％）以下か否かの判定を行う。
このとき、電力管理計画補正部２３５は、予測積算余剰電力のパターンにおいて検出した電力量の最大値が、蓄電池１０３の最大蓄電容量以下の場合、処理をステップＳ７（図１０）へ進める。一方、電力管理計画補正部２３５は、検出した電力量の最大値が、蓄電池１０３の最大蓄電容量を超える場合、処理をステップＳ２６へ進める。
【００９８】
ステップＳ２６：
電力管理計画補正部２３５は、電力管理計画補正部２３５は、検出した電力量の最大値が、蓄電池１０３の最大蓄電容量を超える場合、最大蓄電容量を超えた蓄電ができないため、目標充電電力を最大蓄電容量に再設定し、新たな予測積算余剰電力のパターンを作成する。
そして、電力管理計画補正部２３５は、新たな予測積算余剰電力のパターンとなるように予測余剰電力のパターンを修正する。
電力管理計画補正部２３５は、修正前の予測余剰電力におけるパターンの各時刻の単位時間の電力量から、修正後の予測余剰電力におけるパターンの対応する時刻の単位時間の電力量を減算し、個別需要デマンド電力量のパターンを作成する。
【００９９】
電力管理計画補正部２３５は、全ての需要家施設１０に対しての補正の処理が終了した後、最大蓄電容量を目標充電電力に再設定した需要家施設１０の個別需要デマンド電力量のパターンにおいて、各時刻の単位時間毎に電力量を積算し、需要デマンド電力量を生成する。例えば、電力管理計画補正部２３５は、すでに記述した各需要家施設１０からの需要デマンド電力量と加算して、後述するステップＳ１０の処理で使用する需要デマンド電力量として用いる。
そして、電力管理計画補正部２３５は、処理をステップＳ７（図１０）へ進める。
【０１００】
次に、図１２を用いてステップＳ１０における電力管理計画補正部２３５による電力管理計画の補正の処理の詳細な説明を行う。図１２は、本実施形態の電力管理システムによる電力管理計画を補正する処理の動作例を示すフローチャートである。
ステップＳ３１：
電力管理計画補正部２３５は、記憶部２３６の電力管理計画テーブルから、需要家施設１０の需要家施設識別情報に対応して、予測積算余剰電力アドレスを順次読み出す。
そして、電力管理計画補正部２３５は、読み出した予測積算余剰電力アドレスにより、対応する需要家施設１０の予測積算余剰電力のパターンを記憶部２３６から読み出す。
電力管理計画補正部２３５は、読み出した予測積算余剰電力のパターンにおける電力量の最低値を検出する。
【０１０１】
ステップＳ３２：
電力管理計画補正部２３５は、検出された予測積算余剰電力のパターンにおける最低値の電力量が０未満か否かの判定を行う。
このとき、電力管理計画補正部２３５は、検出された予測積算余剰電力のパターンにおける最低値の電力量が０未満である場合、処理をステップＳ３３へ進める。一方、電力管理計画補正部２３５は、検出された予測積算余剰電力のパターンにおける最低値の電力量が０未満でない場合、処理をステップＳ７（図１０）へ進める。例えば、図８において、目標充電電力を変更する前の予測積算余剰電力のパターンにおける電力量の最低値が午前８時３０分であり、この最低値が−５３００Ｗｈ（−５．３ｋＷｈ）であった場合、電力管理計画補正部２３５は、最低値が０未満であるため、処理をステップＳ３３へ進める。
【０１０２】
ステップＳ３３：
電力管理計画補正部２３５は、予測積算余剰電力の目標充電電力に対して、最低値の電力量の絶対値を加算し、予測積算余剰電力のパターンを補正する。これにより、最低値の電力量を０とすることができ、系統電源から予測積算余剰電力における負の電力量を買電する必要がなくなる。例えば、図８において、−５３００Ｗｈの絶対値である５３００Ｗｈ（５．３ｋＷｈ）を充電目標電力に対して加算することにより、午前８時における予測積算余剰電力の電力量を０とすることができる。
【０１０３】
ステップＳ３４：
電力管理計画補正部２３５は、午前６時以降の予測積算余剰電力のパターンにおいて、電力量の最大値を検出する。
【０１０４】
ステップＳ３５：
電力管理計画補正部２３５は、検出した電力量の最大値が、蓄電池１０３の最大の最大蓄電容量以下か否かの判定を行う。
このとき、電力管理計画補正部２３５は、予測積算余剰電力のパターンにおいて検出した電力量の最大値が、蓄電池１０３の最大蓄電容量以下の場合、処理をステップＳ７（図１０）へ進める。一方、電力管理計画補正部２３５は、検出した電力量の最大値が、蓄電池１０３の最大蓄電容量を超える場合、処理をステップＳ３６へ進める。
【０１０５】
ステップＳ３６：
電力管理計画補正部２３５は、電力管理計画補正部２３５は、検出した電力量の最大値が、蓄電池１０３の最大蓄電容量を超える場合、最大蓄電容量を超えた蓄電ができないため、目標充電電力を最大蓄電容量に再設定し、新たな予測積算余剰電力のパターンを作成する。
電力管理計画補正部２３５は、新たな予測積算余剰電力のパターンとなるように、目標充電電力を最大蓄電容量とした予測余剰電力のパターンを修正する。
電力管理計画補正部２３５は、修正前の予測余剰電力におけるパターンの各時刻の単位時間の電力量から、修正後の予測余剰電力におけるパターンの対応する時刻の単位時間の電力量を減算し、差分を非供給電力容量とし、この非供給電力容量を新たに個別需要デマンド電力量のパターンとする。
【０１０６】
電力管理計画補正部２３５は、電力管理地域１内の全ての需要家施設１０に対しての補正の処理が終了した後、最大蓄電容量を目標充電電力に再設定した需要家施設１０の個別需要デマンド電力量のパターンにおいて、各時刻の単位時間毎に電力量を積算し、需要デマンド電力量を生成する。そして、電力管理計画補正部２３５は、電力管理地域１内の需要家施設１０の予測積算余剰電力のパターンの電力量の最大値が、蓄電池１０３の最大蓄電容量未満である需要家施設１０を検索する。
【０１０７】
次に、電力管理計画補正部２３５は、ステップＳ８に処理を進め、検索された需要家施設１０に対して、算出した需要デマンド電力量の振り分けを行う。この場合、電力管理計画補正部２３５は、すでに説明した蓄電池１０３の最大蓄電容量ではなく、最大蓄電容量から現在の予測積算余剰電力のパターンにおける最大の電力量の比率によって、供給デマンド電力としての振り分けを行う。
【０１０８】
本実施形態においては、インターネットなどのネットワークを介し、電力管理地域１の外部からの需要デマンド電力の依頼に対しても以下のように対応できるように、電力管理装置２００を構成しても良い。
電力管理計画が実行する前日までに、電力管理地域１内の需要化施設１０以外、すなわち電力管理装置２００の電力管理下にない外部の需要家施設から需要デマンド電力量が入力された場合、本実施形態の電力管理装置２００において以下の処理が行われる。
【０１０９】
電力管理装置２００において、例えば、電力管理計画補正部２３５は、自身が管理する電力管理地域１内の需要家施設１０における需要デマンド電力量が満足された後に、電力管理地域１外の他の需要家施設からの需要デマンド電力量に対応する。
電力管理計画補正部２３５は、記憶部２３６における電力管理テーブルから、予測積算余剰電力アドレスを順次読み出す。そして、電力管理計画補正部２３５は、この予測積算余剰電力アドレスにより記憶部２３６から順次読み出し、目標充電電力が最大蓄電容量未満の需要家施設１０を抽出する。
【０１１０】
電力管理計画補正部２３５は、図１０のステップＳ８からステップＳ１１までの処理を行い、電力管理地域１の外部からの需要デマンド電力量を、抽出された需要家施設１０に対して供給デマンド電力量として振り分ける。このとき、電力管理計画補正部２３５は、最大蓄電容量から目標充電電力を除算した差分電力量の比により、需要デマンド電力量の振り分けを行う。
【０１１１】
そして、電力管理計画補正部２３５は、図１０のステップＳ８からステップＳ１１までの処理の結果、需要デマンド電力量を要求した外部の需要家施設に対して、単位電力当たりの価格と、需要デマンド電力量全てが供給できるか否かについて通知する。このとき、電力管理計画補正部２３５は、需要デマンド電力量全てを供給することができない場合、どの程度の電力量を提供できるかの情報を付加する。
【０１１２】
電力管理計画補正部２３５は、各需要家施設１０において、供給する供給デマンド電力量を蓄電池１０３に対して充電する時間を求め、電力管理地域１外の需要家施設への通知に、充電する時間を考慮した依頼決定の回答の期限を付加する。ここで、各需要家施設１０において蓄電池１０３に対する充電が間に合う時間に、需要デマンド電力量の要求が電力管理装置２００に対して供給される必要がある。蓄電池１０３には、単位時間当たりの最大充電量が決まっており、短い時間では充電が行えない場合がある。
【０１１３】
この結果、電力管理地域１外の需要家施設は、単位時間当たりの価格と、供給可能と通知された電力量とに基づき、電力管理地域１の電力管理装置２００に対して、供給の依頼を行うか否かを判断する。そして、電力管理地域１外の需要家施設は、上記回答の期限までに電力管理地域１の電力管理装置２００に対して、供給の依頼についての回答を行う。電力管理計画補正部２３５は、需要デマンド電力量に対応する蓄電電力量を系統電源から蓄電池１０３に充電するために必要な蓄電時間を算出し、充電を開始する時刻に対して、この蓄電時間を加算して充電完了時刻を上記回答の期限として算出する。
【０１１４】
ここで、供給する需要デマンド電力量の単位電力量の価格は、予め電力管理地域と電力管理地域１外の需要家施設と予め取り決めておいても、供給電力量に対応してその都度決定するようにしても良い。電力管理地域１外の需要家施設が事業所である場合、系統電源の電力会社との間の電力量の契約を超えると、単位電力の価格が上昇するペナルティーが発生するとともに、翌年の買電における契約料金が高くなる場合がある。このため、事業所としては、短時間にだけ高額の電力を購入しても採算が合う場合がある。したがって、単位電力量の価格は、系統電源からの買電の価格に対して数倍から数十倍の価格が設定される可能性もある。
【０１１５】
本実施形態によれば、電力管理地域１内において、他の需要家施設１０に対して供給する需要デマンド電力量を需要が開始される前に蓄電池１０３に対して充電しておくため、太陽電池１０１が発電することができない時間帯においても、他の需要家施設１０に対して余剰電力を供給することが可能となる。
本実施形態によれば、電力管理地域１外の他の需要家施設に対しても、電力管理地域１内の需要家施設１０と同様に、供給する需要デマンド電力量を需要が開始される前に蓄電池１０３に対して充電しておくため、太陽電池１０１が発電することができない時間帯においても、他の需要家施設１０に対して余剰電力を供給することが可能となる。
本実施形態によれば、他の需要家施設１０に対して供給する余剰電力（供給デマンド電力量）を、自身の予測需要電力と合成（予測需要電力のパターンにおける各時刻の単位時間に供給デマンド電力量を加算）することで、蓄電池１０３に充電する電力を求めているため、系統電源からの買電に対して無駄が無く、適切な電力量を蓄電池１０３に対して充電させることができる。
【０１１６】
図３における電力管理装置２００の機能と、図２に示す需要家施設１０における蓄電池１０３の管理機能との各々の機能を実現するためのプログラムをコンピュータ読み取り可能な記録媒体に記録して、この記録媒体に記録されたプログラムをコンピュータシステムに読み込ませ、実行することにより蓄電池の充電及び放電の管理を行ってもよい。なお、ここでいう「コンピュータシステム」とは、ＯＳや周辺機器等のハードウェアを含むものとする。
【０１１７】
「コンピュータシステム」は、ＷＷＷシステムを利用している場合であれば、ホームページ提供環境（あるいは表示環境）も含むものとする。
「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。上記プログラムは、前述した機能の一部を実現するためのものであっても良く、さらに前述した機能をコンピュータシステムにすでに記録されているプログラムとの組み合わせで実現できるものであっても良い。
【０１１８】
以上、この発明の実施形態を図面を参照して詳述してきたが、具体的な構成はこの実施形態に限られるものではなく、この発明の要旨を逸脱しない範囲の設計等も含まれる。
【符号の説明】
【０１１９】
１…電力管理地域
２…商用電源
３…配電線網
１０…需要家施設
２０…共通蓄電装置
１０１…太陽電池
１０２…パワーコンディショナ
１０３…蓄電池
１０４…インバータ
１０５…電力経路切替部
１０６…負荷
１０７…施設別制御部
１０８…電力量推定部
２００…電力管理装置
２０１…ネットワークＩ／Ｆ部
２０２…電力管理部
２０３…電力管理計画作成部
２２１…総電力算出部
２２２…分配電力決定部
２２３…分配制御部
２２４…インバータ効率特性記憶部
２３１…消費電力推定部
２３２…発電電力推定部
２３３…電力管理計画作成部
２３４…デマンド入力部
２３５…電力管理計画補正部
２３６…記憶部
【図１】
0006505460.tif 000002
【図２】
0006505460.tif 000003
【図３】
0006505460.tif 000004
【図４】
0006505460.tif 000005
【図５】
0006505460.tif 000006
【図６】
0006505460.tif 000007
【図７】
0006505460.tif 000008
【図８】
0006505460.tif 000009
【図９】
0006505460.tif 000010
【図１０】
0006505460.tif 000011
【図１１】
0006505460.tif 000012
【図１２】
0006505460.tif 000013